(57)【要約】【課題】ドレン水の中和に必要な電力を少なくすることができ、かつ、ドレン水の中和に要する時間を短くすることができる技術を提供する。【解決手段】熱機器は、水が流れる通水管と、ガスを燃焼させるガスバーナと、ガスバーナが発生させる燃焼ガスを利用して通水管を流れる水を加熱する主熱交換器と、燃焼ガスの潜熱を利用して通水管を流れる水を加熱する副熱交換器と、副熱交換器で発生するドレン水の導電率を高める導電率上昇手段と、導電率上昇手段によって導電率が高められたドレン水を電気分解して中和する電気分解手段と、を備える。【選択図】図１
2020186866.tif 000002
【特許請求の範囲】
【請求項１】
水が流れる通水管と、
ガスを燃焼させて燃焼ガスを発生させるガスバーナと、
前記ガスバーナが発生させる前記燃焼ガスを利用して前記通水管を流れる水を加熱する主熱交換器と、
前記燃焼ガスの潜熱を利用して前記通水管を流れる水を加熱する副熱交換器と、
前記副熱交換器で発生するドレン水の導電率を高める導電率上昇手段と、
前記導電率上昇手段によって導電率が高められた前記ドレン水を電気分解して中和する電気分解手段と、
を備える熱機器。
【請求項２】
前記導電率上昇手段は、前記ドレン水に塩化ナトリウムを添加するように構成されている、請求項１に記載の熱機器。
【請求項３】
前記熱機器は、さらに、
前記電気分解によって中和された前記ドレン水を排水するドレン水排水管と、
前記ドレン水排水管に設けられ、前記ドレン水に含まれる次亜塩素酸を除去する除去手段と、を備える、請求項２に記載の熱機器。
【発明の詳細な説明】
【技術分野】
【０００１】
本明細書で開示する技術は、熱機器に関する。
【背景技術】
【０００２】
特許文献１には、水が流れる通水管と、ガスを燃焼させて燃焼ガスを発生させるガスバーナと、ガスバーナが発生させる燃焼ガスを利用して通水管を流れる水を加熱する主熱交換器と、燃焼ガスの潜熱を利用して通水管を流れる水を加熱する副熱交換器と、副熱交換器で発生するドレン水を電気分解して中和する電気分解手段と、を備える熱機器が開示されている。
【先行技術文献】
【特許文献】
【０００３】
【特許文献１】特開２００４−２０９３０４号公報
【発明の概要】
【発明が解決しようとする課題】
【０００４】
特許文献１の熱機器では、副熱交換器で発生するドレン水は電気分解によって中和される。このような技術において、ドレン水の中和（即ち電気分解）に必要な電力を少なくすることができ、かつ、ドレン水の中和に要する時間を短くすることが望まれている。
【０００５】
本明細書は、ドレン水の中和に必要な電力を少なくすることができ、かつ、ドレン水の中和に要する時間を短くすることができる技術を提供する。
【課題を解決するための手段】
【０００６】
本明細書が開示する熱機器は、水が流れる通水管と、ガスを燃焼させて燃焼ガスを発生させるガスバーナと、前記ガスバーナが発生させる前記燃焼ガスを利用して前記通水管を流れる水を加熱する主熱交換器と、前記燃焼ガスの潜熱を利用して前記通水管を流れる水を加熱する副熱交換器と、前記副熱交換器で発生するドレン水の導電率を高める導電率上昇手段と、前記導電率上昇手段によって導電率が高められた前記ドレン水を電気分解して中和する電気分解手段と、を備える。
【０００７】
上記の構成によると、導電率上昇手段によって、ドレン水の導電率が高くなる。そして、導電率が高められた後のドレン水に対して電気分解が行われる。ドレン水の導電率が高い程、ドレン水の電気分解は促進される。このため、導電率が高められていないドレン水に対して電気分解が行われる場合と比較して、ドレン水の中和（即ち電気分解）に必要な電力を少なくすることができる。また、導電率が高められていないドレン水に対して電気分解が行われる場合と比較して、ドレン水の中和に要する時間を短くすることができる。
【０００８】
導電率上昇手段は、ドレン水に塩化ナトリウムを添加するように構成されていてもよい。
【０００９】
上記の構成によると、ドレン水に塩化ナトリウムが添加されることによって、ドレン水の導電率が高くなる。塩化ナトリウムは、安全性が高い物質である。このため、熱機器の安全性を高めることができる。
【００１０】
熱機器は、さらに、電気分解によって中和されたドレン水を排水するドレン水排水管と、ドレン水排水管に設けられ、ドレン水に含まれる次亜塩素酸を除去する除去手段と、を備えてもよい。
【００１１】
塩化ナトリウムが添加されているドレン水が電気分解されると、ドレン水内に次亜塩素酸が生成される。次亜塩素酸を含むドレン水が排水されると、排水先の下水配管等が劣化し易くなる。上記の構成によると、電気分解後のドレン水内の次亜塩素酸は、除去手段によって除去される。このため、次亜塩素酸を含むドレン水が、ドレン水排水管から排水されることを抑制することができる。従って、排水先の下水配管等の劣化を抑制することができる。
【図面の簡単な説明】
【００１２】
【図１】第１実施例に係る給湯器２の構成を示す図である。
【図２】ドレン水の導電率を表わす表、及び、ドレン水を電気分解したときの様子を示すグラフである。
【図３】第２実施例に係る給湯器２の構成を示す図である。
【図４】第２変形例に係るドレン管６２、ドレン水排水管８６、電気分解手段７４、及び、導電率上昇手段２８２の構成を示す図である。
【発明を実施するための形態】
【００１３】
（第１実施例）
第１実施例に係る給湯器２（「熱機器」の一例）について図面を参照して説明する。図１に示すように、実施例に係る給湯器２は、ハウジング３と通水管２０とガス供給管３０を備えている。また、給湯器２は、ハウジング３内に配置されているガスバーナ４０とファン９と主熱交換器５１と副熱交換器５２と中和器７０を備えている。また、給湯器２は、制御部１１０を備えている。給湯器２には、商用電源１３０から電力が供給される。給湯器２は、主熱交換器５１と副熱交換器５２によって水を加熱する潜熱回収型給湯器である。
【００１４】
通水管２０は、ハウジング３内を通過している。通水管２０は、ハウジング３内に配置されている主熱交換器５１と副熱交換器５２を通過している。通水管２０は、先に副熱交換器５２を通過し、その後に主熱交換器５１を通過している。通水管２０には水が流れる。
【００１５】
通水管２０は、上流側から順に給水管２１と、連絡管２２と、給湯管２３を備えている。給水管２１の上流端部は、給水源（例えば水道）に接続されている。給水管２１には、給水源から水が供給される。給水管２１の下流端部は、副熱交換器５２の入口５２１に接続されている。給水管２１は、給水源から供給された水を副熱交換器５２に供給する。
【００１６】
給水管２１には、流量センサ５３と水量サーボ５４が設けられている。流量センサ５３は、給水管２１を流れる水の流量を検出する。水量サーボ５４は、給水管２１を流れる水の流量を調整する。
【００１７】
給水管２１よりも下流側に連絡管２２が配置されている。連絡管２２の上流端部は、副熱交換器５２の出口５２２に接続されている。副熱交換器５２を通過した水が連絡管２２に流入する。連絡管２２の下流端部は、主熱交換器５１の入口５１１に接続されている。連絡管２２は、副熱交換器５２から主熱交換器５１に水を送る。
【００１８】
連絡管２２には、バイパス管２４が接続されている。バイパス管２４の下流端部は、給湯管２３に接続されている。バイパス管２４は、連絡管２２を流れる水の一部を給湯管２３に供給するために設けられている。
【００１９】
連絡管２２よりも下流側に給湯管２３が配置されている。給湯管２３の上流端部は、主熱交換器５１の出口５１２に接続されている。主熱交換器５１を通過した水が給湯管２３に流入する。給湯管２３の下流端部は、給湯利用箇所（例えばシャワーやカラン）に接続されている。給湯管２３は、主熱交換器５１から給湯利用箇所に水を供給する。副熱交換器５２と主熱交換器５１を通過した後の高温の水（湯）が給湯利用箇所に供給される。給湯利用箇所には、給湯栓５６が設けられている。給湯栓５６が開かれると、給湯利用箇所に水（湯）が供給される。
【００２０】
給湯管２３には、給湯管ヒータ１００が取り付けられている。給湯管ヒータ１００は、主熱交換器５１の出口５１２の直後において給湯管２３に取り付けられている。給湯管ヒータ１００は、通電によって発熱し、その熱で給湯管２３を加熱することによって、給湯管２３内の水を加熱する。給湯管ヒータ１００は、給湯管２３内の水が凍結することを予防するために設けられている。また、給湯管２３には、出湯サーミスタ５５が取り付けられている。出湯サーミスタ５５は、給湯管２３内の水（湯）の温度を検出する。
【００２１】
ガス供給管３０は、ハウジング３外からハウジング３内に引き込まれている。ガス供給管３０の上流端部は、ガス供給源（例えばガスの元栓）に接続されている。ガス供給管３０には、ガス供給源からガスが供給される。ガス供給管３０の下流端部は、ガスバーナ４０に接続されている。ガス供給管３０は、ガス供給源から供給されたガスをガスバーナ４０に供給する。
【００２２】
ガス供給管３０は、その途中で３本に分岐しており、第１分岐管３１と第２分岐管３２と第３分岐管３３を備えている。第１分岐管３１と第２分岐管３２と第３分岐管３３の下流端部がそれぞれガスバーナ４０に接続されている。
【００２３】
ガス供給管３０には、元電磁弁３４と比例弁３５が設けられている。元電磁弁３４は、ガス供給管３０を開閉する。元電磁弁３４が開状態になると、ガス供給管３０にガスが流れ、元電磁弁３４が閉状態になると、ガス供給管３０のガスの流れが遮断される。比例弁３５は、ガス供給管３０を流れるガスの流量を調整する。これによって、ガス供給管３０から分岐した第１分岐管３１と第２分岐管３２と第３分岐管３３を流れるガスの流量が調整される。
【００２４】
また、ガス供給管３０の第１分岐管３１には第１切替電磁弁３６が設けられており、第２分岐管３２には第２切替電磁弁３７が設けられており、第３分岐管３３には第３切替電磁弁３８が設けられている。各切替電磁弁３６、３７、３８は、各分岐管３１、３２、３３を開閉する。各切替電磁弁３６、３７、３８が開状態になると、各分岐管３１、３２、３３にガスが流れ、各切替電磁弁３６、３７、３８が閉状態になると、各分岐管３１、３２、３３のガスの流れが遮断される。
【００２５】
ハウジング３内に配置されているガスバーナ４０は、主熱交換器５１の下方に配置されている。ガスバーナ４０は、ガス供給管３０から供給されたガスを燃焼させて、燃焼ガスを発生させる。ガスバーナ４０は、第１バーナ群４１と第２バーナ群４２と第３バーナ群４３を備えている。
【００２６】
第１バーナ群４１、第２バーナ群４２、第３バーナ群４３には、それぞれ、ガス供給管３０の第１分岐管３１、第２分岐管３２、第３分岐管３３が接続されている。各分岐管３１、３２、３３から各バーナ群４１、４２、４３にガスが供給される。
【００２７】
ガスバーナ４０の上方には、ガスバーナ４０の炎を検出するためのフレームロッド９３が配置されている。また、ガスバーナ４０の側方と上方には、それぞれ、ガスバーナ４０を点火するためのイグナイタ９１と電極９２が配置されている。
【００２８】
ガスバーナ４０の下方には、ファン９が配置されている。ファン９は、商用電源１３０から供給される電力によって動作する。ファン９は、ガスバーナ４０に燃焼用の空気を送る。また、ファン９からガスバーナ４０に空気が送られることによって、ガスバーナ４０の燃焼ガスが排気される。
【００２９】
ハウジング３内に配置されている主熱交換器５１は、ガスバーナ４０の上方に配置されている。主熱交換器５１は、ガスバーナ４０がガスを燃焼させたときの燃焼ガスによって通水管２０内の水を加熱する。主熱交換器５１は、燃焼ガスと水の熱交換によって通水管２０を流れる水を加熱する。主熱交換器５１は、副熱交換器５２よりも通水管２０の下流側において水を加熱する。主熱交換器５１は、副熱交換器５２より後に水を加熱する。主熱交換器５１で加熱された後の高温の水（湯）が、給湯管２３を通じて給湯利用箇所に供給される。
【００３０】
主熱交換器５１の下方には、主熱交換器５１の過熱を防止するための温度ヒューズ９４が配置されている。また、主熱交換器５１による空焚き状態を検出するためのバイメタルスイッチ９５が通水管２０に取り付けられている。
【００３１】
主熱交換器５１の上方には、副熱交換器５２が配置されている。副熱交換器５２は、主熱交換器５１よりも通水管２０の上流において水を加熱する。副熱交換器５２は、主熱交換器５１より先に水を加熱する。副熱交換器５２で加熱された水が連絡管２２を通じて主熱交換器５１に送られる。副熱交換器５２は、燃焼ガスの潜熱を利用して通水管２０を流れる水を加熱する。具体的には、主熱交換器５１を通過した燃焼ガス中の水蒸気が凝縮する際の凝縮熱（潜熱）が利用される。副熱交換器５２の上方には、ハウジング３内で発生する燃焼ガスを排気するための排気ダクト３９が配置されている。
【００３２】
副熱交換器５２で水を加熱するときにドレン水が生じる。副熱交換器５２の下方には、ドレンパン６１が配置されている。ドレンパン６１は、皿状に形成されている。ドレンパン６１は、副熱交換器５２で生じたドレン水を回収する。ドレンパン６１には、ドレン管６２の上流端部が接続されている。ドレン管６２の下流端部は、中和器７０に接続されている。ドレン管６２は、ドレンパン６１によって回収されたドレン水を中和器７０に送る。
【００３３】
中和器７０は、電気分解を利用して、ドレン管６２から送られてきたドレン水を中和する。中和器７０は、貯留槽７２と電気分解手段７４と導電率上昇手段８２を備える。
【００３４】
貯留槽７２は、ドレン管６２から送られてくるドレン水を貯留する。電気分解手段７４は、通電部７６と第１電極７８と第２電極８０で構成されている。第１電極７８及び第２電極８０の一部は、貯留槽７２内に設けられている。第１電極７８及び第２電極８０は、白金系材料（例えば、白金（Ｐｔ）、イリジウム（Ｉｒ）、白金イリジウム等）からなる。通電部７６は、制御部１１０に接続されており、第１電極７８及び第２電極８０に通電する。
【００３５】
導電率上昇手段８２は、貯留槽７２に貯留されるドレン水の導電率を高めるための装置である。導電率上昇手段８２は、貯留槽７２の上方に配置されている。導電率上昇手段８２は、連通管８４を介して、貯留槽７２に接続されている。導電率上昇手段８２には、粒状の塩化ナトリウム（ＮａＣｌ）が収容されている。導電率上昇手段８２の下面には、開閉可能な開口部８２ａが設けられている。開口部８２ａは、開閉部材８３の動作によって開閉される。開閉部材８３の動作は、制御部１１０によって制御される。開口部８２ａは、貯留槽７２に粒状の塩化ナトリウムを投入する際に開かれる。なお、導電率上昇手段８２に、タブレット状の塩化ナトリウムが収容されていてもよい。
【００３６】
貯留槽７２には、ドレン水排水管８６の上流端部が接続されている。ドレン水排水管８６の下流端部は、ハウジング３外に引き出されており、下水配管（図示省略）に接続されている。ドレン水排水管８６は、電気分解後のドレン水を外部へ排出するために設けられている。ドレン水排水管８６には、除去手段８８が配置されている。除去手段８８は、電気分解後のドレン水に含まれる次亜塩素酸を吸収するフィルタ８８ａを備える。フィルタ８８ａは、活性炭、亜硝酸カルシウム等からなる。なお、変形例では、除去手段８８は、除去手段８８を通過するドレン水にＵＶ（紫外線）を照射する構成であってもよい。本変形例では、ＵＶがドレン水に照射されることによって、次亜塩素酸が分解される。
【００３７】
ハウジング３内には、さらに、低温感知サーミスタ９０が配置されている。低温感知サーミスタ９０の先端部は、ハウジング３外に突出している。低温感知サーミスタ９０は、外気温度を検出する。
【００３８】
給湯器２に電力を供給する商用電源１３０は、例えば５０Ｈｚ又は６０Ｈｚの交流の１００Ｖ電源である。なお、給湯器２は、バッテリを備えてもよい。
【００３９】
制御部１１０は、ハウジング３内に配置されている。制御部１１０は、例えばＣＰＵとメモリを備えている。制御部１１０は、給湯器２に関する各種の制御を実行する。
【００４０】
制御部１１０には、リモコン１４０が接続されている。リモコン１４０は、給湯器２に関する各種の設定をするために設けられている。例えば、リモコン１４０によって給湯温度を設定することができる。給湯温度は、給湯利用箇所に供給される水（湯）の温度である。
【００４１】
次に、上記の構成を備える給湯器２によって行われる給湯運転、中和運転について説明する。
【００４２】
（給湯運転）
まず、給湯運転について説明する。上記の給湯器２では、給湯器２のユーザが給湯栓５６を開くと通水管２０内の水が流れ始める。通水管２０内の水が流れて、流量センサ５３によって検出される通水管２０内の水の流量が所定流量以上になると給湯運転が開始される。
【００４３】
給湯運転が開始されると、制御部１１０が、ガスバーナ４０の下方に配置されているファン９をオンにする。すなわち、流量センサ５３によって検出される水の流量が所定流量以上になると、制御部１１０がファン９を動作させる。ファン９が動作すると、ファン９からガスバーナ４０に燃焼用の空気が供給される。
【００４４】
また、給湯運転が開始されると、制御部１１０が、ガス供給管３０に設けられている元電磁弁３４を開状態にする。また、制御部１１０が、ガス供給管３０に設けられている第１切替電磁弁３６と第２切替電磁弁３７と第３切替電磁弁３８の少なくとも１個を開状態にする。そうすると、ガス供給源（例えばガスの元栓）からガス供給管３０に供給されている燃焼用のガスが、ガス供給管３０を通じてガスバーナ４０に供給される。ガスバーナ４０では、イグナイタ９１で発生させた高電圧を電極９２で放電させることによって、供給されたガスと空気の混合気体が燃焼し、燃焼ガスが発生する。ガスバーナ４０で発生した燃焼ガスによって主熱交換器５１を通過する水が加熱される。また、主熱交換器５１から副熱交換器５２へ送られる燃焼ガスの潜熱によって、副熱交換器５２を通過する水が加熱される。
【００４５】
また、上記の給湯器２では、通水管２０内の水が流れると、給水源（例えば水道）から給水管２１に供給されている水が、給水管２１と副熱交換器５２と連絡管２２と主熱交換器５１と給湯管２３を順に流れ、給湯管２３から給湯利用箇所に供給される。通水管２０を流れる水は、副熱交換器５２と主熱交換器５１を通過する過程で熱交換によって加熱される。副熱交換器５２と主熱交換器５１で加熱された後の高温の水（湯）が給湯管２３から給湯利用箇所に供給される。給湯利用箇所に所定の給湯温度（例えば４０℃）の水（湯）が供給される。所定の給湯温度はリモコン１４０で予め設定されている。
【００４６】
上記の給湯器２では、通水管２０を流れる水が副熱交換器５２で加熱される過程で、副熱交換器５２からドレン水が発生する。副熱交換器５２で発生したドレン水は、副熱交換器５２の下方に配置されているドレンパン６１によって回収され、それに接続されているドレン管６２を通じて貯留槽７２に送られる。
【００４７】
その後、給湯器２のユーザが給湯栓５６を閉じると通水管２０内の水の流れが止まる。流量センサ５３によって検出される通水管２０内の水の流量が所定流量未満になると、制御部１１０が給湯運転を終了させる。制御部１１０は、ガスバーナ４０の下方に配置されているファン９を停止させる。また、制御部１１０は、元電磁弁３４と第１切替電磁弁３６と第２切替電磁弁３７と第３切替電磁弁３８を閉状態にする。
【００４８】
（中和運転）
続いて、中和運転について説明する。制御部１１０は、給湯運転中、及び、給湯運転を終了してから所定時間が経過するまでの間、中和運転を実行する。上述のように、給湯運転中において、副熱交換器５２からドレン水が発生する。そして、ドレン水は、ドレンパン６１及びドレン管６２を通過して、貯留槽７２に送られる。燃焼ガス中には、二酸化窒素（ＮＯ２）等の窒素酸化物（ＮＯｘ）が含まれている。このため、副熱交換器５２で生じるドレン水には、硝酸（ＨＮＯ３）が多く溶解しており、それらの多くは、水素イオン（Ｈ＋）、硝酸イオン（ＮＯ３−）としてドレン水内に存在している。このため、ドレン水は、ｐＨが３〜４程度の強酸性の水となっている。中和運転は、ドレン水を弱アルカリ性に改質するための運転である。本実施例では、制御部１１０は、中和運転が開始される際に、所定時間の間、開口部８２ａが開くように開閉部材８３の動作を制御する。なお、変形例では、制御部１１０は、所定時間が経過する毎（例えば、１日毎）に、所定時間の間、開口部８２ａが開くように開閉部材８３の動作を制御してもよい。
【００４９】
制御部１１０は、第１電極７８及び第２電極８０への通電を開始する。制御部１１０は、第１電極７８が陽極となり、第２電極８０が陰極となるように、各電極７８、８０への印加電圧を調整する。これにより、貯留槽７２内において、電気分解が行われる。本実施例では、貯留槽７２のドレン水に塩化ナトリウムが溶解している。このため、ドレン水には、ナトリウムイオン（Ｎａ＋）、及び、塩化物イオン（Ｃｌ−）が多く存在している。これにより、貯留槽７２内において、陽極である第１電極７８では、以下の式（１）に示す反応が行われる。
【００５０】
【化１】
2020186866.tif 000003
【００５１】
また、貯留槽７２内において、陰極である第２電極８０では、第１電極で放出された電子を受け取り、以下の式（２）に示す反応が行われる。
【００５２】
【化２】
2020186866.tif 000004
【００５３】
式（１）、（２）に示されるように、電気分解によって、ドレン水の水素イオン濃度が減少する。これにより、ドレン水が強酸性から弱アルカリ性に改質する。
【００５４】
また、陽極で発生する塩素（Ｃｌ２）の一部は、ドレン水に溶解することで、次亜塩素酸（ＨＣｌＯ）を生成し、ドレン水内に存在するナトリウムイオン及び硝酸イオンの一部は、硝酸ナトリウム（ＮａＮＯ３）を生成すると推定される。
【００５５】
制御部１１０は、第１所定時間（例えば、５分）が経過すると、第１電極７８が陰極となり、第２電極８０が陽極となるように、各電極７８、８０への印加電圧を調整する。そして、制御部１１０は、第１所定時間毎に、各電極７８、８０の極性を切替える。これにより、各電極７８、８０の消耗が均一になる。
【００５６】
（本実施例の効果）
図２を参照して、本実施例の効果について説明する。図２（ａ）は、２種類のドレン水の導電率を表わす表であり、図２（ｂ）は、図２（ａ）に示される２種類のドレン水に対して電気分解が実行される場合のｐＨの時間経過を示すグラフである。図２（ｂ）の横軸は、時間（［分］）を示し、縦軸は、ドレン水のｐＨを示している。
【００５７】
図２（ａ）に示すように、ＮａＣｌ濃度が０．２［％］である場合のドレン水の導電率は、４３４０［μＳ／ｃｍ］であり、塩化ナトリウム濃度が０［％］であるドレン水の導電率は、１２４［μＳ／ｃｍ］である。塩化ナトリウム濃度が０．２［％］であるドレン水とは、貯留槽７２内において、塩化ナトリウムが溶解した状態のドレン水であり、塩化ナトリウム濃度が０［％］であるドレン水とは、副熱交換器５２で生じるドレン水である。
【００５８】
図２（ｂ）の実線ＳＬは、塩化ナトリウムが溶解しているドレン水に対して電気分解が行われる場合のｐＨの時間経過を示し、破線ＢＬは、塩化ナトリウムが溶解していないドレン水に対して電気分解が行われる場合のｐＨの時間経過を示す。実線ＳＬに示されるように、塩化ナトリウム濃度が０．２［％］であるドレン水に対して電気分解が行われると、ドレン水のｐＨは急激に上昇する。そして、電気分解が開始されてから３分の時点において、ドレン水のｐＨは７を超える。一方、破線ＢＬに示されるように、塩化ナトリウム濃度が０［％］であるドレン水に対して電気分解が行われても、ｐＨは略変化しない。従って、導電率上昇手段８２によって、電気分解が行われるドレン水の導電率を高くすることで、ドレン水の中和に必要な電力を少なくすることができ、かつ、ドレン水の中和に要する時間を短くすることができる。
【００５９】
また、本実施例では、ドレン水の導電率を高めるために、粒状の塩化ナトリウムが利用される。塩化ナトリウムは、水酸化ナトリウム等と比較して、安全性が高い物質である。このため、給湯器２の安全性を高くすることができる。
【００６０】
上述のように、塩化ナトリウムが添加されたドレン水に対して電気分解が行われると、次亜塩素酸（ＨＣｌＯ）が生成される。次亜塩素酸を含むドレン水がドレン水排水管８６を通って、下水配管に供給されると、下水配管が劣化し易くなる。本実施例では、ドレン水排水管８６には、次亜塩素酸を吸収するフィルタ８８ａを備える除去手段８８が設けられている。このような構成によると、次亜塩素酸を含むドレン水が除去手段８８を通過する際に、フィルタ８８ａによってドレン水内の次亜塩素酸が吸収される。このため、次亜塩素酸を含むドレン水がドレン水排水管８６から排水されることを抑制することができる。従って、下水配管の劣化を抑制することができる。
【００６１】
（第２実施例）
図３に示すように、第２実施例では、導電率上昇手段２８２が、第１実施例の導電率上昇手段８２と異なる。本実施例では、ドレン管６２に導電率上昇手段２８２が設けられている。導電率上昇手段２８２は、ＮａＣｌセラミックからなるフィルタ２８４を備える。このような構成によると、ドレン水が導電率上昇手段２８２（詳細にはフィルタ２８４）を通過する際に、塩化ナトリウムがドレン水に溶解し、ドレン水の塩化ナトリウム濃度が高くなる。このため、貯留槽７２に貯留されるドレン水のＮａＣｌ濃度を高めることができる。このような構成によっても、第１実施例と同様の効果を奏することができる。
【００６２】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００６３】
（第１変形例）導電率上昇手段８２内に、塩化ナトリウムに代えて、水酸化ナトリウム（ＮａＯＨ）、水酸化カルシウム（ＣａＯＨ）が収容されてもよい。この場合は、給湯器２は、除去手段８８を備えていなくてもよい。
【００６４】
（第２変形例）図４に示すように、第２実施例の変形例において、給湯器２は、貯留槽７２を備えていなくてもよい。本変形例では、ドレン水排水管８６の上流端側は、ドレン管６２に接続されている。また、ドレン管６２において、導電率上昇手段２８２よりも下流側に、電気分解手段７４を構成する第１電極７８及び第２電極８０が配置されている。各電極７８、８０は、ドレン管６２において水が流れる方向と平行に配置されている。なお、変形例では、各電極７８、８０は、ドレン管６２において水が流れる方向に対して傾斜していてもよいし、水が流れる方向に対して垂直であってもよい。また、ドレン管６２の管径は、ドレン管６２内をドレン水が流れる際に、ドレン水が各電極、７８、８０に接触する大きさであればよい。ドレン管６２の管径は、例えば、ドレン管６２内をドレン水が流れる際に、満水状態になるように設計される。
【００６５】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６６】
２      ：給湯器
３      ：ハウジング
９      ：ファン
２０    ：通水管
２１    ：給水管
２２    ：連絡管
２３    ：給湯管
２４    ：バイパス管
３０    ：ガス供給管
３１    ：第１分岐管
３２    ：第２分岐管
３３    ：第３分岐管
３４    ：元電磁弁
３５    ：比例弁
３６    ：第１切替電磁弁
３７    ：第２切替電磁弁
３８    ：第３切替電磁弁
３９    ：排気ダクト
４０    ：ガスバーナ
４１    ：第１バーナ群
４２    ：第２バーナ群
４３    ：第３バーナ群
５１    ：主熱交換器
５２    ：副熱交換器
５３    ：流量センサ
５４    ：水量サーボ
５５    ：出湯サーミスタ
５６    ：給湯栓
６１    ：ドレンパン
６２    ：ドレン管
７０    ：中和器
７２    ：貯留槽
７４    ：電気分解手段
７６    ：通電部
７８    ：第１電極
８０    ：第２電極
８２    ：導電率上昇手段
８２ａ  ：開口部
８３    ：開閉部材
８４    ：連通管
８６    ：ドレン水排水管
８８    ：除去手段
８８ａ  ：フィルタ
９０    ：低温感知サーミスタ
９１    ：イグナイタ
９２    ：電極
９３    ：フレームロッド
９４    ：温度ヒューズ
９５    ：バイメタルスイッチ
１００  ：給湯管ヒータ
１１０  ：制御部
１３０  ：商用電源
１４０  ：リモコン
２８２  ：導電率上昇手段
２８４  ：フィルタ
５１１  ：入口
５１２  ：出口
５２１  ：入口
５２２  ：出口
【図１】
2020186866.tif 000005
【図２】
2020186866.tif 000006
【図３】
2020186866.tif 000007
【図４】
2020186866.tif 000008